(57)【特許請求の範囲】
【請求項１】
七枚のレンズで構成され、物体側から像側へと順次に：  
負の屈折力を持つ第１レンズと、
負の屈折力を持つ第２レンズと、
負の屈折力を持つ第３レンズであって、前記第３レンズの像側面は凸面であり、
正の屈折力を持つ第４レンズと、
屈折力を持つ第５レンズと、
屈折力を持つ第６レンズと、
屈折力を持つ第７レンズと、
とから成り、同時に次の関係式を満たすことを特徴とする撮影用広角レンズ。
−５．５＜ｆ１／ｆ＜−２；
−２．５＜ｆ５／ｆ６＜−０．５；
０．５＜Ｔ３４×１０／Ｔ２３＜１．２；
ここで、ｆ１は第１レンズの有効焦点距離で、ｆは撮影用広角レンズの有効焦点距離で、ｆ５は第５レンズの有効焦点距離で、ｆ６は第６レンズの有効焦点距離であり、Ｔ３４は第３レンズと第４レンズの軸上の間隔距離であり、Ｔ２３は第２レンズと第３レンズの軸上の間隔距離である。
【請求項２】
前記第１レンズの物体側面は凸面であり、像側面は凹面であることを特徴とする請求項１に記載の撮影用広角レンズ。
【請求項３】
前記第２レンズの像側面は凹面であることを特徴とする請求項１に記載の撮影用広角レンズ。
【請求項４】
次の関係式を満たすことを特徴とする請求項１に記載の撮影用広角レンズ。
０．５＜Ｒ５／Ｒ６＜１；
ここで、Ｒ５は第３レンズの物体側面の曲率半径である；Ｒ６は第３レンズの像側面の曲率半径である。
【請求項５】
前記第４レンズの物体側面は凸面であることを特徴とする請求項１に記載の撮影用広角レンズ。
【請求項６】
前記第５レンズの物体側面は凸面であることを特徴とする請求項１に記載の撮影用広角レンズ。
【請求項７】
前記第７レンズの物体側面は凸面であることを特徴とする請求項１に記載の撮影用広角レンズ。
【請求項８】
次の関係式を満たすことを特徴とする請求項１に記載の撮影用広角レンズ。
２．５＜ＤＴ１１／ＤＴ７２＜３．７；
ここで、ＤＴ１１は第１レンズの物体側面の有効半径であり、ＤＴ７２は第７レンズの像側面の有効半径である。
【請求項９】
次の関係式を満たすことを特徴とする請求項１に記載の撮影用広角レンズ。
０．８＜ＤＴ３１／ＤＴ７２＜１．２；
ここで、ＤＴ３１は第３レンズの物体側面の有効半径であり、ＤＴ７２は第７レンズの像側面の有効半径である。
【請求項１０】
次の関係式を満たすことを特徴とする請求項１に記載の撮影用広角レンズ。
０．４５＜ＩｍｇＨ×ｔａｎ（ＦＯＶ／３）／ＴＴＬ＜０．８；
ここで、ＩｍｇＨは電子光感知素子の有効画素領域の対角線の長さの半分であり、ＦＯＶは超広角レンズの最大視野角であり、ＴＴＬは第１レンズの物体側面から撮影用広角レンズの結像面までの軸上距離である。
【請求項１１】
次の関係式を満たすことを特徴とする請求項１に記載の撮影用広角レンズ。  
０．４＜ＣＴ２／ＣＴ３＜１；
ここで、ＣＴ２は第２レンズの光軸上の中心厚であり、ＣＴ３は第３レンズの光軸上の中心厚である。
【請求項１２】
次の関係式を満たすことを特徴とする請求項１に記載の撮影用広角レンズ。
０．３＜ΣＣＴ／ＴＴＬ＜０．５；
ここで、ΣＣＴは第１レンズから第７レンズまでの光軸上の中心厚の総和であり、ＴＴＬは第１レンズの物体側面から撮影用広角レンズの結像面までの軸上距離である。
【請求項１３】
第１レンズから第７レンズはガラスとプラスチック製のレンズの組み合わせであることを特徴とする請求項１に記載の撮影用広角レンズ。
【発明の詳細な説明】
【技術分野】
【０００１】
本発明は撮影カメラに関し、特に七枚のレンズで構成される撮影用広角レンズである。
【背景技術】
【０００２】
技術の発展に伴い、撮影用広角レンズは、超広角レンズ、魚眼レンズ等の視角が標準なレンズより大きな様々な撮影レンズを含み、より多くの場合に重要な効果を果たし、例えば撮影、安全防犯、測定、投影、娯楽、車載等である。
【０００３】
撮影に、超広角レンズのショットフォーカス大視野という特徴があるため、インスタント結像により多くの情報量を取得し、測定されるデータも多くなる；投影に、通常な投影カメラは平面に結像されるが、大視野魚眼レンズはループ形の天空スクリーンに結像され、観賞の時に、夏季の空に星空を見るような映画鑑賞という感じがある；車載応用に、その超大の視野角により、幅広い空間領域を見て、運転過程における環視応用に有利である。
【０００４】
通常には、光学システムの感光素子は電荷結合素子（CCD）又は相補型金属酸化膜半導体素子（CMOS）という二種類がある。半導体の製造プロセス技術の推進に伴い、感光素子の画素寸法が縮小され、光学システムはより高い画素、より高い結像品質に傾向する；同時に、製品の押し広めを配慮し、レンズ寸法が益々小さくなり、同時により低いコストを求める。
現在では、通常の超広角レンズは、よく完全ガラス構造を主とし、特許番号の「WO201603732A1」の特許に示すように、該レンズは七枚のガラスレンズで構成され、大きな相対的な穴径を有し、体積が比較的小さい撮影レンズを提供することである。
【０００５】
ポータブルな電子製品の日増しの発展に伴い、特に現在では市場から360度環視応用への要求が益々多くなり、撮影レンズの小型化、軽量化、超広角化及び結像品質等の性能への要求も高まる。小型化と軽量化という要求を満たすために、レンズの全長を短縮させ、同時にプラスチックレンズと結合する必要がある。通知の完全ガラス構造は結像品質を保証できない状況で、システム全長を更に短縮させ、視野角を拡大する。
【０００６】
通常では、非球面の利用により、像質を顕著に高め、収差を減らし、更にレンズのレンズ数量を減らし、体積を小さくさせる。非球面レンズの材料はガラスとプラスチック製があり、ガラスとプラスチックを結合利用し、超広角レンズの性能の向上に大きな役割を果たす。
【先行技術文献】
【特許文献】
【０００７】
【特許文献１】ＷＯ２０１６０３７３２Ａ１
【発明の概要】
【発明が解決しようとする課題】
【０００８】
本発明は小型化、高い結像品質、非球面を用いる撮影用広角レンズを提供する旨とする。
【課題を解決するための手段】
【０００９】
このために、本発明は撮影用広角レンズを提供し、該撮影レンズは物体側から像側まで順次に以下を含む：負の屈折力を持つ第１レンズ；屈折力を持つ第２レンズ；負の屈折力を持つ第３レンズ、その像側面は凸面である；屈折力を持つ第４レンズ；屈折力を持つ第５レンズ；屈折力を持つ第６レンズ；屈折力を持つ第７レンズ；同時に次の関係式を満たす：−５．５＜ｆ１／ｆ＜−２；−２．５＜ｆ５／ｆ６＜−０．５、ここで、ｆ１は第１レンズの有効焦点距離で、ｆ  は撮影用広角レンズの有効焦点距離で、ｆ５は第５レンズの有効焦点距離で、ｆ６は第６レンズの有効焦点距離である。該技術的解決手段は撮影レンズの広角又は超広角化、小型化、高解像度及び高相対照度を実現する。
【００１０】
更に、本発明に記載の撮影用広角レンズに関して、その第１レンズの物体側面は凸面であり、像側面は凹面である。
【００１１】
更に、本発明に記載の撮影用広角レンズに関して、その第２レンズは負の屈折力を持ち、その像側面は凹面である。
【００１２】
更に、本発明に記載の撮影用広角レンズに関して、その第３レンズの物体側面は凹面で、
更に、本発明に記載の撮影用広角レンズは次の関係式を満たす：  ０．５＜Ｒ５／Ｒ６＜１、ここで、Ｒ５は第３レンズの物体側面の曲率半径である；Ｒ６は第３レンズの像側面の曲率半径である。両面の曲率半径を調節することにより、入射光線の角度を減らし、高級収差を減らす同時に、エッジの相対照度を保証することに有利である。
更に、本発明に記載の撮影用広角レンズに関して、その第４レンズは正の屈折力を持ち、その物体側面は凸面である。
【００１３】
更に、本発明に記載の撮影用広角レンズに関して、その第５レンズの物体側面は凸面である。
【００１４】
更に、本発明に記載の撮影用広角レンズに関して、その第７レンズの物体側面は凸面である。
上記設計により、撮影カメラの色差を効果的に改善することができ、画面の解像度を高める。
【００１５】
更に、本発明に記載の撮影用広角レンズは次の関係式を満たす：  ２．５＜ＤＴ１１／ＤＴ７２＜３．７、ここで、ＤＴ１１は第１レンズの物体側面の有効半径であり、ＤＴ７２は第７レンズの像側面の有効半径である。前記比の値は高過ぎれば組み立てにくく、低過ぎれば軸外の収差を補正しにくい。該比例範囲を満たすと、画素を保証する基礎で、組み立てプロセスを簡略化することに有利である。
【００１６】
更に、本発明に記載の撮影用広角レンズは次の関係式を満たす：  ０．８＜ＤＴ３１／ＤＴ７２＜１．２、ここで、ＤＴ３１は第３レンズの物体側面の有効半径であり、ＤＴ７２は第７レンズの像側面の有効半径である。前記比の値は高過ぎれば組み立てにくく、低過ぎれば軸外の収差を補正しにくい。
【００１７】
該比例範囲を満たすと、組み立てプロセス及び画面解像度の総合効果を兼ねる。
更に、本発明に記載の撮影用広角レンズは次の関係式を満たす：０．４５＜ＩｍｇＨ×ｔａｎ（ＦＯＶ／３）／ＴＴＬ＜０．８、ここで、ＩｍｇＨは電子光感知素子の有効画素領域の対角線の長さの半分であり、ＦＯＶは超広角レンズの最大視野角であり、ＴＴＬは第１レンズの物体側面から撮影用広角レンズの結像面までの軸上距離である。該設計を用い、撮影レンズが超広角、小型化と高い解像度を実現し易い。
【００１８】
更に、本発明に記載の撮影用広角レンズは次の関係式を満たす：  ０．４＜ＣＴ２／ＣＴ３＜１；ここで、ＣＴ２は第２レンズの光軸上の中心厚で、ＣＴ３は第３レンズの光軸上の中心厚である。前記比の値は高過ぎれば組み立てにくく、低過ぎれば色差を除去しにくい。
【００１９】
更に、本発明に記載の撮影用広角レンズは次の関係式を満たす：  ０．３＜ΣＣＴ／ＴＴＬ＜０．５；ここで、ΣＣＴは第１レンズから第７レンズまで光軸上の中心厚の総和であり、ＴＴＬは第１レンズの物体側面から撮影用広角レンズの結像面までの軸上距離である。この設計により結像品質、組み立て易いことを保証する上に、システムの全長を効果的に短縮させ、更に小型化の要求を満たす。
【００２０】
更に、本発明に記載の撮影用広角レンズは次の関係式を満たす：  ０．５＜Ｔ３４×１０／Ｔ２３＜１．２、ここで、Ｔ３４は第３レンズと第４レンズの軸上の間隔距離であり、Ｔ２３は第２レンズ及び第３レンズの軸上の間隔距離である。比の値が高過ぎれば色差を除去しにくく、低ければ軸外の単色収差を除去しにくい。この設計は、様々な収差をバランスさせ、高い解像度を実現することに有利である。
【発明の効果】
【００２１】
本発明の有益な効果は、第１レンズは負の屈折力を持ち、システムの視野角を効果的に増やす。複数枚の非球面の応用及び正負の屈折力の配分により、比較的大きな視野内に高い解像度と高い相対照度を実現し、相対輝度を保証する。ガラスとプラスチックの混合と組み合わせにより、環境信頼性を維持する前提でコストを下げ、小型化を実現する。
【図面の簡単な説明】
【００２２】
【図１】実施例１に記載の撮影用広角レンズの構造案内図である；
【図２】実施例１に記載の撮影用広角レンズの軸上色差図である；
【図３】実施例１に記載の撮影用広角レンズの乱視図である；
【図４】実施例１に記載の撮影用広角レンズの倍率色差図である；
【図５】実施例１に記載の撮影用広角レンズの相対照度曲線図である；
【図６】実施例２に記載の撮影用広角レンズの構造案内図である；
【図７】実施例２に記載の撮影用広角レンズの軸上色差図である；
【図８】実施例２に記載の撮影用広角レンズの乱視図である；
【図９】実施例に記載の撮影用広角レンズの倍率色差図である；
【図１０】実施例２に記載の撮影用広角レンズの相対照度曲線図である；
【図１１】実施例３に記載の撮影用広角レンズの構造案内図である；
【図１２】実施例３に記載の撮影用広角レンズの軸上色差図である；
【図１３】実施例３に記載の撮影用広角レンズの乱視図である；
【図１４】実施例３に記載の撮影用広角レンズの倍率色差図である；
【図１５】実施例３に記載の撮影用広角レンズの相対照度曲線図である；
【図１６】実施例４に記載の撮影用広角レンズの構造案内図である；
【図１７】実施例４に記載の撮影用広角レンズの軸上色差図である；
【図１８】実施例４に記載の撮影用広角レンズの乱視図である；
【図１９】実施例４に記載の撮影用広角レンズの倍率色差図である；
【図２０】実施例４に記載の撮影用広角レンズの相対照度曲線図である；
【図２１】実施例５に記載の撮影用広角レンズの構造案内図である；
【図２２】実施例５に記載の撮影用広角レンズの軸上色差図である；
【図２３】実施例５に記載の撮影用広角レンズの乱視図である；
【図２４】実施例５に記載の撮影用広角レンズの倍率色差図である；
【図２５】実施例５に記載の撮影用広角レンズの相対照度曲線図である；
【図２６】実施例６に記載の撮影用広角レンズの構造案内図である；
【図２７】実施例６に記載の撮影用広角レンズの軸上色差図である；
【図２８】実施例６に記載の撮影用広角レンズの乱視図である；
【図２９】実施例６に記載の撮影用広角レンズの倍率色差図である；
【図３０】実施例６に記載の撮影用広角レンズの相対照度曲線図である；
【図３１】実施例７に記載の撮影用広角レンズの構造案内図である；
【図３２】実施例７に記載の撮影用広角レンズの軸上色差図である；
【図３３】実施例７に記載の撮影用広角レンズの乱視図である；
【図３４】実施例７に記載の撮影用広角レンズの倍率色差図である；
【図３５】実施例７に記載の撮影用広角レンズの相対照度曲線図である；
【図３６】実施例８に記載の撮影用広角レンズの構造案内図である；
【図３７】実施例８に記載の撮影用広角レンズの軸上色差図である；
【図３８】実施例８に記載の撮影用広角レンズの乱視図である；
【図３９】実施例８に記載の撮影用広角レンズの倍率色差図である；
【図４０】実施例８に記載の撮影用広角レンズの相対照度曲線図である；
【図４１】実施例９に記載の撮影用広角レンズの構造案内図である；
【図４２】実施例９に記載の撮影用広角レンズの軸上色差図である；
【図４３】実施例９に記載の撮影用広角レンズの乱視図である；
【図４４】実施例９に記載の撮影用広角レンズの倍率色差図である；
【図４５】実施例９に記載の撮影用広角レンズの相対照度曲線図である；
【発明を実施するための形態】
【００２３】
以下では図面と実施例と結合し、本発明を更に説明する
【００２４】
（実施例１）
本実施例に記載の撮影用広角レンズは、図１を参照し、光軸に沿って物体側から像側までに順次に次のことが並べる：負の屈折力を持つ第１レンズＬ１、負の屈折力を持つ第２レンズＬ２、負の屈折力を持つ第３レンズＬ３、正の屈折力を持つ第４レンズＬ４、正の屈折力を持つ第５レンズＬ５、負の屈折力を持つ第６レンズＬ６、正の屈折力を持つ第７レンズＬ７、フィルターＬ８．ここで：第１レンズＬ１は物体側面Ｓ１と像側面Ｓ２を含み、第２レンズＬ２は物体側Ｓ３と像側面Ｓ４を含み、第３レンズＬ３は物体側面Ｓ５と像側面Ｓ６を含み、第４レンズＬ４は物体側面Ｓ７と像側面Ｓ８を含み、第５レンズＬ５は物体側面Ｓ９と像側面Ｓ１０を含み、第６レンズＬ６は物体側面Ｓ１０と像側面Ｓ１１を含み，第７レンズＬ７は物体側面Ｓ１２と像側面Ｓ１３を含み、フィルターＬ８は物体側面Ｓ１４と像側面Ｌ１５を含む。本実施例に記載の撮影用広角レンズの結像面Ｓ１６はフィルターＬ８の像側に位置され、感光素子を取り付けることに用いる。
本実施例に記載の撮影用広角レンズの主な設計パラメータは下の表に示す：
0006538201.tif 000002
ここで：Ｒ５は第３レンズの物体側面の曲率半径である；Ｒ６は第３レンズ側面の曲率半径である；ＤＴ１１は第１レンズの物体側面の有効半径である；ＤＴ７２は第７レンズの像側面の有効半径である；  ＤＴ３１は第３レンズの側面の有効半径である；ＩｍｇＨは電子光感知素子の有効画素領域の対角線の長さの半分である；ＦＯＶは超広角レンズの最大視野角である；ＴＴＬは第１レンズの物体側面から撮影用広角レンズの結像面までの軸上距離である；ＣＴ２は第２レンズの光軸上の中心厚である；ＣＴ３は第３レンズの光軸上の中心厚である；ΣＣＴは第１レンズから第７レンズまでの光軸上の中心厚の総和である；Ｔ３４は第３レンズと第４レンズの軸上の間隔距離である；Ｔ２３は第２レンズと第３レンズの軸上の間隔距離である。
上記設計パラメータを実現するために、本実施例に記載の撮影用広角レンズに用いる具体的な設計は下の表に示す：
0006538201.tif 000003
本実施例に記載の撮影用広角レンズにおける非球面レンズの非球面高位数字係数（Ａ４、Ａ６、Ａ８、Ａ１０、Ａ１２、Ａ１４）は下の表に示す：
0006538201.tif 000004
本実施例に記載の撮影用広角レンズは、超広角を実現する基礎に、軸外収差、エッジ像面の輝度、歪曲収差を比較的よく補正し、図２、３、４、５を参照し、小型化を実現する同時によい工芸性と高い相対照度を保持する
【００２５】
（実施例２）
本実施例に記載の撮影用広角レンズは、図６を参照し、光軸に沿って物体側から像側までに順次に次のことが並べる：負の屈折力を持つ第１レンズＬ１、負の屈折力を持つ第２レンズＬ２、負の屈折力を持つ第３レンズＬ３、正の屈折力を持つ第４レンズＬ４、正の屈折力を持つ第５レンズＬ５、負の屈折力を持つ第６レンズＬ６、正の屈折力を持つ第７レンズＬ７、フィルターＬ８．ここで：第１レンズＬ１は物体側面Ｓ１と像側面Ｓ２を含み、第２レンズＬ２は物体側Ｓ３と像側面Ｓ４を含み、第３レンズＬ３は物体側面Ｓ５と像側面Ｓ６を含み、第４レンズＬ４は物体側面Ｓ７と像側面Ｓ８を含み、第５レンズＬ５は物体側面Ｓ９と像側面Ｓ１０を含み、第６レンズＬ６は物体側面Ｓ１１と像側面Ｓ１２を含み，第７レンズＬ７は物体側面Ｓ１３と像側面Ｓ１４を含み、フィルターＬ８は物体側面Ｓ１５と像側面Ｌ１６を含む。本実施例に記載の撮影用広角レンズの結像面Ｓ１７はフィルターＬ８の像側に位置され、感光素子を取り付けることに用いる。
本実施例に記載の撮影用広角レンズの主な設計パラメータは下の表に示す：
0006538201.tif 000005
ここで：Ｒ５は第３レンズの物体側面の曲率半径である；Ｒ６は第３レンズ側面の曲率半径である；ＤＴ１１は第１レンズの物体側面の有効半径である；ＤＴ７２は第７レンズの像側面の有効半径である；ＤＴ３１は第３レンズの側面の有効半径である；ＩｍｇＨは電子光感知素子の有効画素領域の対角線の長さの半分である；ＦＯＶは超広角レンズの最大視野角である；ＴＴＬは第１レンズの物体側面から撮影用広角レンズの結像面までの軸上距離である；ＣＴ２は第２レンズの光軸上の中心厚である；ＣＴ３は第３レンズの光軸上の中心厚である；ΣＣＴは第１レンズから第７レンズまでの光軸上の中心厚の総和である；Ｔ３４は第３レンズと第４レンズの軸上の間隔距離である；Ｔ２３は第２レンズと第３レンズの軸上の間隔距離である。
上記設計パラメータを実現するために、本実施例に記載の撮影用広角レンズに用いる具体的な設計は下の表に示す：
0006538201.tif 000006
本実施例に記載の撮影用広角レンズにおける非球面レンズの非球面高位数字係数（Ａ４、Ａ６、Ａ８、Ａ１０、Ａ１２、Ａ１４）は下の表に示す：
0006538201.tif 000007
本実施例に記載の撮影用広角レンズは、超広角を実現する基礎に、軸外収差、エッジ像面の輝度、歪曲収差を比較的よく補正し、図７、８、９、１０を参照し、小型化を実現する同時によい工芸性と高い相対照度を保持する
【００２６】
（実施例３） 
本実施例に記載の撮影用広角レンズは、図１１を参照し、光軸に沿って物体側から像側までに順次に次のことが並べる：負の屈折力を持つ第１レンズＬ１、負の屈折力を持つ第２レンズＬ２、負の屈折力を持つ第３レンズＬ３、正の屈折力を持つ第４レンズＬ４、正の屈折力を持つ第５レンズＬ５、負の屈折力を持つ第６レンズＬ６、正の屈折力を持つ第７レンズＬ７、フィルターＬ８．ここで：第１レンズＬ１は物体側面Ｓ１と像側面Ｓ２を含み、第２レンズＬ２は物体側Ｓ３と像側面Ｓ４を含み、第３レンズＬ３は物体側面Ｓ５と像側面Ｓ６を含み、第４レンズＬ４は物体側面Ｓ７と像側面Ｓ８を含み、第５レンズＬ５は物体側面Ｓ９と像側面Ｓ１０を含み、第６レンズＬ６は物体側面Ｓ１０と像側面Ｓ１１を含み，第７レンズＬ７は物体側面Ｓ１２と像側面Ｓ１３を含み、フィルターＬ８は物体側面Ｓ１４と像側面Ｌ１５を含む。本実施例に記載の撮影用広角レンズの結像面Ｓ１６はフィルターＬ８の像側に位置され、感光素子を取り付けることに用いる。
本実施例に記載の撮影用広角レンズの主な設計パラメータは下の表に示す：
0006538201.tif 000008
ここで：Ｒ５は第３レンズの物体側面の曲率半径である；Ｒ６は第３レンズ側面の曲率半径である；ＤＴ１１は第１レンズの物体側面の有効半径である；ＤＴ７２は第７レンズの像側面の有効半径である；ＤＴ３１は第３レンズの側面の有効半径である；ＩｍｇＨは電子光感知素子の有効画素領域の対角線の長さの半分である；ＦＯＶは超広角レンズの最大視野角である；ＴＴＬは第１レンズの物体側面から撮影用広角レンズの結像面までの軸上距離である；ＣＴ２は第２レンズの光軸上の中心厚である；ＣＴ３は第３レンズの光軸上の中心厚である；ΣＣＴは第１レンズから第７レンズまでの光軸上の中心厚の総和である；  Ｔ３４は第３レンズと第４レンズの軸上の間隔距離である；Ｔ２３は第２レンズと第３レンズの軸上の間隔距離である。
上記設計パラメータを実現するために、本実施例に記載の撮影用広角レンズに用いる具体的な設計は下の表に示す：
0006538201.tif 000009
本実施例に記載の撮影用広角レンズにおける非球面レンズの非球面高位数字係数（Ａ４、Ａ６、Ａ８、Ａ１０、Ａ１２、Ａ１４）は下の表に示す：
0006538201.tif 000010
本実施例に記載の撮影用広角レンズは、超広角を実現する基礎に、軸外収差、エッジ像面の輝度、歪曲収差を比較的よく補正し、図１２、１３、１４、１５を参照し、小型化を実現する同時によい工芸性と高い相対照度を保持する
【００２７】
（実施例４）
本実施例に記載の撮影用広角レンズは、図１６を参照し、光軸に沿って物体側から像側までに順次に次のことが並べる：負の屈折力を持つ第１レンズＬ１、負の屈折力を持つ第２レンズＬ２、負の屈折力を持つ第３レンズＬ３、正の屈折力を持つ第４レンズＬ４、正の屈折力を持つ第５レンズＬ５、負の屈折力を持つ第６レンズＬ６、正の屈折力を持つ第７レンズＬ７、フィルターＬ８．ここで：第１レンズＬ１は物体側面Ｓ１と像側面Ｓ２を含み、第２レンズＬ２は物体側Ｓ３と像側面Ｓ４を含み、第３レンズＬ３は物体側面Ｓ５と像側面Ｓ６を含み、第４レンズＬ４は物体側面Ｓ７と像側面Ｓ８を含み、第５レンズＬ５は物体側面Ｓ９と像側面Ｓ１０を含み、第６レンズＬ６は物体側面Ｓ１１と像側面Ｓ１２を含み，第７レンズＬ７は物体側面Ｓ１３と像側面Ｓ１４を含み、フィルターＬ８は物体側面Ｓ１５と像側面Ｌ１６を含む。本実施例に記載の撮影用広角レンズの結像面Ｓ１７はフィルターＬ８の像側に位置され、感光素子を取り付けることに用いる。
本実施例に記載の撮影用広角レンズの主な設計パラメータは下の表に示す：
0006538201.tif 000011
ここで：Ｒ５は第３レンズの物体側面の曲率半径である；Ｒ６は第３レンズ側面の曲率半径である；ＤＴ１１は第１レンズの物体側面の有効半径である；ＤＴ７２は第７レンズの像側面の有効半径である；ＤＴ３１は第３レンズの側面の有効半径である；ＩｍｇＨは電子光感知素子の有効画素領域の対角線の長さの半分である；ＦＯＶは超広角レンズの最大視野角である；ＴＴＬは第１レンズの物体側面から撮影用広角レンズの結像面までの軸上距離である；ＣＴ２は第２レンズの光軸上の中心厚である；ＣＴ３は第３レンズの光軸上の中心厚である；ΣＣＴは第１レンズから第７レンズまでの光軸上の中心厚の総和である；Ｔ３４は第３レンズと第４レンズの軸上の間隔距離である；Ｔ２３は第２レンズと第３レンズの軸上の間隔距離である。
上記設計パラメータを実現するために、本実施例に記載の撮影用広角レンズに用いる具体的な設計は下の表に示す：
0006538201.tif 000012
本実施例に記載の撮影用広角レンズにおける非球面レンズの非球面高位数字係数（Ａ４、Ａ６、Ａ８、Ａ１０、Ａ１２、Ａ１４）は下の表に示す：
0006538201.tif 000013
本実施例に記載の撮影用広角レンズは、超広角を実現する基礎に、軸外収差、エッジ像面の輝度、歪曲収差を比較的よく補正し、図１７、１８、１９、２０を参照し、小型化を実現する同時によい工芸性と高い相対照度を保持する
【００２８】
（実施例５）
本実施例に記載の撮影用広角レンズは、図２１を参照し、光軸に沿って物体側から像側までに順次に次のことが並べる：負の屈折力を持つ第１レンズＬ１、負の屈折力を持つ第２レンズＬ２、負の屈折力を持つ第３レンズＬ３、正の屈折力を持つ第４レンズＬ４、負の屈折力を持つ第５レンズＬ５、正の屈折力を持つ第６レンズＬ６、負の屈折力を持つ第７レンズＬ７、フィルターＬ８．ここで：第１レンズＬ１は物体側面Ｓ１と像側面Ｓ２を含み、第２レンズＬ２は物体側Ｓ３と像側面Ｓ４を含み、第３レンズＬ３は物体側面Ｓ５と像側面Ｓ６を含み、第４レンズＬ４は物体側面Ｓ７と像側面Ｓ８を含み、第５レンズＬ５は物体側面Ｓ９と像側面Ｓ１０を含み、第６レンズＬ６は物体側面Ｓ１１と像側面Ｓ１２を含み，第７レンズＬ７は物体側面Ｓ１３と像側面Ｓ１４を含み、フィルターＬ８は物体側面Ｓ１５と像側面Ｌ１６を含む。本実施例に記載の撮影用広角レンズの結像面Ｓ１７はフィルターＬ８の像側に位置され、感光素子を取り付けることに用いる。
本実施例に記載の撮影用広角レンズの主な設計パラメータは下の表に示す：
0006538201.tif 000014
ここで：Ｒ５は第３レンズの物体側面の曲率半径である；  Ｒ６は第３レンズ側面の曲率半径である；  ＤＴ１１は第１レンズの物体側面の有効半径である；  ＤＴ７２は第７レンズの像側面の有効半径である；  ＤＴ３１は第３レンズの側面の有効半径である；  ＩｍｇＨは電子光感知素子の有効画素領域の対角線の長さの半分である；ＦＯＶは超広角レンズの最大視野角である；ＴＴＬは第１レンズの物体側面から撮影用広角レンズの結像面までの軸上距離である；ＣＴ２  は第２レンズの光軸上の中心厚である；  ＣＴ３  は第３レンズの光軸上の中心厚である；ΣＣＴは第１レンズから第７レンズまでの光軸上の中心厚の総和である；  Ｔ３４は第３レンズと第４レンズの軸上の間隔距離である；  Ｔ２３  は第２レンズと第３レンズの軸上の間隔距離である。
上記設計パラメータを実現するために、本実施例に記載の撮影用広角レンズに用いる具体的な設計は下の表に示す：
0006538201.tif 000015
本実施例に記載の撮影用広角レンズにおける非球面レンズの非球面高位数字係数（Ａ４、Ａ６、Ａ８、Ａ１０、Ａ１２、Ａ１４）は下の表に示す：
0006538201.tif 000016
本実施例に記載の撮影用広角レンズは、超広角を実現する基礎に、軸外収差、エッジ像面の輝度、歪曲収差を比較的よく補正し、図２２、２３、２４、２５を参照し、小型化を実現する同時によい工芸性と高い相対照度を保持する
【００２９】
（実施例６）
本実施例に記載の撮影用広角レンズは、図２６を参照し、光軸に沿って物体側から像側までに順次に次のことが並べる：負の屈折力を持つ第１レンズＬ１、負の屈折力を持つ第２レンズＬ２、負の屈折力を持つ第３レンズＬ３、正の屈折力を持つ第４レンズＬ４、正の屈折力を持つ第５レンズＬ５、負の屈折力を持つ第６レンズＬ６、正の屈折力を持つ第７レンズＬ７、フィルターＬ８．ここで：第１レンズＬ１は物体側面Ｓ１と像側面Ｓ２を含み、第２レンズＬ２は物体側Ｓ３と像側面Ｓ４を含み、第３レンズＬ３は物体側面Ｓ５と像側面Ｓ６を含み、第４レンズＬ４は物体側面Ｓ７と像側面Ｓ８を含み、第５レンズＬ５は物体側面Ｓ９と像側面Ｓ１０を含み、第６レンズＬ６は物体側面Ｓ１１と像側面Ｓ１２を含み，第７レンズＬ７は物体側面Ｓ１３と像側面Ｓ１４を含み、フィルターＬ８は物体側面Ｓ１５と像側面Ｌ１６を含む。本実施例に記載の撮影用広角レンズの結像面Ｓ１７はフィルターＬ８の像側に位置され、感光素子を取り付けることに用いる。
本実施例に記載の撮影用広角レンズの主な設計パラメータは下の表に示す：
0006538201.tif 000017
ここで：Ｒ５は第３レンズの物体側面の曲率半径である；Ｒ６は第３レンズ側面の曲率半径である；ＤＴ１１は第１レンズの物体側面の有効半径である；ＤＴ７２は第７レンズの像側面の有効半径である；ＤＴ３１は第３レンズの側面の有効半径である；ＩｍｇＨは電子光感知素子の有効画素領域の対角線の長さの半分である；ＦＯＶは超広角レンズの最大視野角である；ＴＴＬは第１レンズの物体側面から撮影用広角レンズの結像面までの軸上距離である；ＣＴ２は第２レンズの光軸上の中心厚である；ＣＴ３は第３レンズの光軸上の中心厚である；ΣＣＴは第１レンズから第７レンズまでの光軸上の中心厚の総和である；Ｔ３４は第３レンズと第４レンズの軸上の間隔距離である；Ｔ２３は第２レンズと第３レンズの軸上の間隔距離である。
上記設計パラメータを実現するために、本実施例に記載の撮影用広角レンズに用いる具体的な設計は下の表に示す：
0006538201.tif 000018
本実施例に記載の撮影用広角レンズにおける非球面レンズの非球面高位数字係数（Ａ４、Ａ６、Ａ８、Ａ１０、Ａ１２、Ａ１４）は下の表に示す：
0006538201.tif 000019
本実施例に記載の撮影用広角レンズは、超広角を実現する基礎に、軸外収差、エッジ像面の輝度、歪曲収差を比較的よく補正し、図２７、２８、２９、３０を参照し、小型化を実現する同時によい工芸性と高い相対照度を保持する
【００３０】
（実施例7）
本実施例に記載の撮影用広角レンズは、図３１を参照し、光軸に沿って物体側から像側までに順次に次のことが並べる：負の屈折力を持つ第１レンズＬ１、負の屈折力を持つ第２レンズＬ２、負の屈折力を持つ第３レンズＬ３、正の屈折力を持つ第４レンズＬ４、正の屈折力を持つ第５レンズＬ５、負の屈折力を持つ第６レンズＬ６、正の屈折力を持つ第７レンズＬ７、フィルターＬ８．ここで：第１レンズＬ１は物体側面Ｓ１と像側面Ｓ２を含み、第２レンズＬ２は物体側Ｓ３と像側面Ｓ４を含み、第３レンズＬ３は物体側面Ｓ５と像側面Ｓ６を含み、第４レンズＬ４は物体側面Ｓ７と像側面Ｓ８を含み、第５レンズＬ５は物体側面Ｓ９と像側面Ｓ１０を含み、第６レンズＬ６は物体側面Ｓ１０と像側面Ｓ１１を含み，第７レンズＬ７は物体側面Ｓ１２と像側面Ｓ１３を含み、フィルターＬ８は物体側面Ｓ１４と像側面Ｌ１５を含む。本実施例に記載の撮影用広角レンズの結像面Ｓ１６はフィルターＬ８の像側に位置され、感光素子を取り付けることに用いる。
本実施例に記載の撮影用広角レンズの主な設計パラメータは下の表に示す：
0006538201.tif 000020
ここで：Ｒ５は第３レンズの物体側面の曲率半径である；Ｒ６は第３レンズ側面の曲率半径である；ＤＴ１１は第１レンズの物体側面の有効半径である；ＤＴ７２は第７レンズの像側面の有効半径である；ＤＴ３１は第３レンズの側面の有効半径である；ＩｍｇＨは電子光感知素子の有効画素領域の対角線の長さの半分である；ＦＯＶは超広角レンズの最大視野角である；ＴＴＬは第１レンズの物体側面から撮影用広角レンズの結像面までの軸上距離である；ＣＴ２は第２レンズの光軸上の中心厚である；ＣＴ３は第３レンズの光軸上の中心厚である；ΣＣＴは第１レンズから第７レンズまでの光軸上の中心厚の総和である；Ｔ３４は第３レンズと第４レンズの軸上の間隔距離である；Ｔ２３は第２レンズと第３レンズの軸上の間隔距離である。
上記設計パラメータを実現するために、本実施例に記載の撮影用広角レンズに用いる具体的な設計は下の表に示す：
0006538201.tif 000021
本実施例に記載の撮影用広角レンズにおける非球面レンズの非球面高位数字係数（Ａ４、Ａ６、Ａ８、Ａ１０、Ａ１２、Ａ１４）は下の表に示す：
0006538201.tif 000022
本実施例に記載の撮影用広角レンズは、超広角を実現する基礎に、軸外収差、エッジ像面の輝度、歪曲収差を比較的よく補正し、図３２、３３、３４、３５を参照し、小型化を実現する同時によい工芸性と高い相対照度を保持する
【００３１】
（実施例８）
本実施例に記載の撮影用広角レンズは、図３６を参照し、光軸に沿って物体側から像側までに順次に次のことが並べる：負の屈折力を持つ第１レンズＬ１、負の屈折力を持つ第２レンズＬ２、負の屈折力を持つ第３レンズＬ３、正の屈折力を持つ第４レンズＬ４、正の屈折力を持つ第５レンズＬ５、負の屈折力を持つ第６レンズＬ６、正の屈折力を持つ第７レンズＬ７、フィルターＬ８．ここで：第１レンズＬ１は物体側面Ｓ１と像側面Ｓ２を含み、第２レンズＬ２は物体側Ｓ３と像側面Ｓ４を含み、第３レンズＬ３は物体側面Ｓ５と像側面Ｓ６を含み、第４レンズＬ４は物体側面Ｓ７と像側面Ｓ８を含み、第５レンズＬ５は物体側面Ｓ９と像側面Ｓ１０を含み、第６レンズＬ６は物体側面Ｓ１１と像側面Ｓ１２を含み，第７レンズＬ７は物体側面Ｓ１３と像側面Ｓ１４を含み、フィルターＬ８は物体側面Ｓ１５と像側面Ｌ１６を含む。本実施例に記載の撮影用広角レンズの結像面Ｓ１７はフィルターＬ８の像側に位置され、感光素子を取り付けることに用いる。
本実施例に記載の撮影用広角レンズの主な設計パラメータは下の表に示す：
0006538201.tif 000023
ここで：Ｒ５は第３レンズの物体側面の曲率半径である；Ｒ６は第３レンズ側面の曲率半径である；ＤＴ１１は第１レンズの物体側面の有効半径である；ＤＴ７２は第７レンズの像側面の有効半径である；ＤＴ３１は第３レンズの側面の有効半径である；ＩｍｇＨは電子光感知素子の有効画素領域の対角線の長さの半分である；ＦＯＶは超広角レンズの最大視野角である；ＴＴＬは第１レンズの物体側面から撮影用広角レンズの結像面までの軸上距離である；ＣＴ２は第２レンズの光軸上の中心厚である；ＣＴ３は第３レンズの光軸上の中心厚である；ΣＣＴは第１レンズから第７レンズまでの光軸上の中心厚の総和である；Ｔ３４は第３レンズと第４レンズの軸上の間隔距離である；Ｔ２３は第２レンズと第３レンズの軸上の間隔距離である。
上記設計パラメータを実現するために、本実施例に記載の撮影用広角レンズに用いる具体的な設計は下の表に示す：
0006538201.tif 000024
本実施例に記載の撮影用広角レンズにおける非球面レンズの非球面高位数字係数（Ａ４、Ａ６、Ａ８、Ａ１０、Ａ１２、Ａ１４）は下の表に示す：
0006538201.tif 000025
本実施例に記載の撮影用広角レンズは、超広角を実現する基礎に、軸外収差、エッジ像面の輝度、歪曲収差を比較的よく補正し、図３７、３８、３９、４０を参照し、小型化を実現する同時によい工芸性と高い相対照度を保持する
【００３２】
（実施例９）
本実施例に記載の撮影用広角レンズは、図４１を参照し、光軸に沿って物体側から像側までに順次に次のことが並べる：負の屈折力を持つ第１レンズＬ１、負の屈折力を持つ第２レンズＬ２、負の屈折力を持つ第３レンズＬ３、正の屈折力を持つ第４レンズＬ４、正の屈折力を持つ第５レンズＬ５、負の屈折力を持つ第６レンズＬ６、正の屈折力を持つ第７レンズＬ７、フィルターＬ８．ここで：第１レンズＬ１は物体側面Ｓ１と像側面Ｓ２を含み、第２レンズＬ２は物体側Ｓ３と像側面Ｓ４を含み、第３レンズＬ３は物体側面Ｓ５と像側面Ｓ６を含み、第４レンズＬ４は物体側面Ｓ７と像側面Ｓ８を含み、第５レンズＬ５は物体側面Ｓ９と像側面Ｓ１０を含み、第６レンズＬ６は物体側面Ｓ１１と像側面Ｓ１２を含み，第７レンズＬ７は物体側面Ｓ１３と像側面Ｓ１４を含み、フィルターＬ８は物体側面Ｓ１５と像側面Ｌ１６を含む。本実施例に記載の撮影用広角レンズの結像面Ｓ１７はフィルターＬ８の像側に位置され、感光素子を取り付けることに用いる。
本実施例に記載の撮影用広角レンズの主な設計パラメータは下の表に示す：
0006538201.tif 000026
ここで：Ｒ５は第３レンズの物体側面の曲率半径である；Ｒ６は第３レンズ側面の曲率半径である；ＤＴ１１は第１レンズの物体側面の有効半径である；ＤＴ７２は第７レンズの像側面の有効半径である；ＤＴ３１は第３レンズの側面の有効半径である；ＩｍｇＨは電子光感知素子の有効画素領域の対角線の長さの半分である；ＦＯＶは超広角レンズの最大視野角である；ＴＴＬは第１レンズの物体側面から撮影用広角レンズの結像面までの軸上距離である；ＣＴ２は第２レンズの光軸上の中心厚である；ＣＴ３は第３レンズの光軸上の中心厚である；ΣＣＴは第１レンズから第７レンズまでの光軸上の中心厚の総和である；Ｔ３４は第３レンズと第４レンズの軸上の間隔距離である；Ｔ２３は第２レンズと第３レンズの軸上の間隔距離である。
上記設計パラメータを実現するために、本実施例に記載の撮影用広角レンズに用いる具体的な設計は下の表に示す：
0006538201.tif 000027
本実施例に記載の撮影用広角レンズにおける非球面レンズの非球面高位数字係数（Ａ４、Ａ６、Ａ８、Ａ１０、Ａ１２、Ａ１４）は下の表に示す：
0006538201.tif 000028
本実施例に記載の撮影用広角レンズは、超広角を実現する基礎に、軸外収差、エッジ像面の輝度、歪曲収差を比較的よく補正し、図４２、４３、４４、４５を参照し、小型化を実現する同時によい工芸性と高い相対照度を保持する。
上記の9つの実施例は本発明の単に撮影用広角レンズを説明するために挙げられた好適な具体的な実施手段に過ぎず、本発明の保護範囲を限定するものではない。当業者であれば本発明を基礎として同等代替又は変換は何れも本発明の保護範囲に属する。本発明の保護範囲は特許請求の範囲に記載の内容に準ずる。
【図１】
0006538201.tif 000029
【図２】
0006538201.tif 000030
【図３】
0006538201.tif 000031
【図４】
0006538201.tif 000032
【図５】
0006538201.tif 000033
【図６】
0006538201.tif 000034
【図７】
0006538201.tif 000035
【図８】
0006538201.tif 000036
【図９】
0006538201.tif 000037
【図１０】
0006538201.tif 000038
【図１１】
0006538201.tif 000039
【図１２】
0006538201.tif 000040
【図１３】
0006538201.tif 000041
【図１４】
0006538201.tif 000042
【図１５】
0006538201.tif 000043
【図１６】
0006538201.tif 000044
【図１７】
0006538201.tif 000045
【図１８】
0006538201.tif 000046
【図１９】
0006538201.tif 000047
【図２０】
0006538201.tif 000048
【図２１】
0006538201.tif 000049
【図２２】
0006538201.tif 000050
【図２３】
0006538201.tif 000051
【図２４】
0006538201.tif 000052
【図２５】
0006538201.tif 000053
【図２６】
0006538201.tif 000054
【図２７】
0006538201.tif 000055
【図２８】
0006538201.tif 000056
【図２９】
0006538201.tif 000057
【図３０】
0006538201.tif 000058
【図３１】
0006538201.tif 000059
【図３２】
0006538201.tif 000060
【図３３】
0006538201.tif 000061
【図３４】
0006538201.tif 000062
【図３５】
0006538201.tif 000063
【図３６】
0006538201.tif 000064
【図３７】
0006538201.tif 000065
【図３８】
0006538201.tif 000066
【図３９】
0006538201.tif 000067
【図４０】
0006538201.tif 000068
【図４１】
0006538201.tif 000069
【図４２】
0006538201.tif 000070
【図４３】
0006538201.tif 000071
【図４４】
0006538201.tif 000072
【図４５】
0006538201.tif 000073